(57)【要約】【課題】病変や病変に関連する医療情報の入力の手間を軽減し、医療レポートの閲覧性を向上させることができる医療レポート作成支援装置を提供する。【解決手段】本実施形態に係る医療レポート作成支援装置は、表示部と、患者に対する診断病名に関する診断病名情報の入力を受け付ける診断病名情報取得部と、前記診断病名情報に関連付けられた病変情報の登録を受け付ける病変情報受付部と、前記病変情報に関するレポート情報の入力を受け付けるレポート情報受付部と、前記診断病名と、当該診断病名に関する診断病名情報に関連付けられた病変情報を示す病変と、当該病変情報に関するレポート情報とを、互いに関連付けて前記表示部に表示させる表示制御部と、を備える。【選択図】  図２
2015179319.tif 000002
【特許請求の範囲】
【請求項１】
表示部と、
患者に対する診断病名に関する診断病名情報の入力を受け付ける診断病名情報取得部と、
前記診断病名情報に関連付けられた病変情報の登録を受け付ける病変情報受付部と、
前記病変情報に関するレポート情報の入力を受け付けるレポート情報受付部と、
前記診断病名と、当該診断病名に関する診断病名情報に関連付けられた病変情報を示す病変と、当該病変情報に関するレポート情報とを、互いに関連付けて前記表示部に表示させる表示制御部と、
を備える医療レポート作成支援装置。
【請求項２】
前記レポート情報受付部は、
前記レポート情報の入力を受け付ける際、前記病変情報を示す病変の欄の周辺に、当該入力を受け付けるための領域として設けられる
請求項１に記載の医療レポート作成支援装置。
【請求項３】
前記レポート情報は、画像に関する画像データの情報を含み、
前記レポート情報受付部は、
前記画像データに注目すべき領域の設定を受け付け、
前記表示制御部は、
受け付けた前記注目すべき領域を、その設定を受け付けた前記画像データとは異なる他の画像データにも前記注目すべき領域を設定する
請求項１または２に記載の医療レポート作成支援装置。
【請求項４】
前記病変情報受付部は、
前記診断病名情報に関連付けられた前記病変情報を、前記診断病名情報と前記病変情報とが関係づけられたテーブルから選択して登録を受け付けるか、または、前記診断病名に所望の病変情報を追加して登録を受け付ける
請求項１から３のいずれか１項に記載の医療レポート作成支援装置。
【請求項５】
前記表示制御部は、
前記病変情報に関するレポート情報を、検査日ごとに抽出して前記表示部に表示させる
請求項１から４のいずれか１項に記載の医療レポート作成支援装置。
【請求項６】
前記表示制御部は、
前記病変情報に関するレポート情報を、病変ごとに抽出して前記表示部に表示させる
請求項１から５のいずれか１項に記載の医療レポート作成支援装置。
【請求項７】
前記表示制御部は、
前記病変情報に関するレポート情報の中から表示対象として選択され、選択された前記レポート情報の中から最新の日付のレポート情報を前記表示部に表示させる
請求項１から６のいずれか１項に記載の医療レポート作成支援装置。
【請求項８】
前記レポート情報は、
前記診断病名情報の階層構造によって関連付けられた前記病変情報に関する情報である
請求項１から７のいずれか１項に記載の医療レポート作成支援装置。
【請求項９】
前記レポート情報は、
所見に関する所見情報、画像に関する画像データまたはインプレッションに関する情報の少なくともいずれかを含む
請求項１から８のいずれか１項に記載の医療レポート作成支援装置。
【請求項１０】
複数の医用画像を記憶する記憶手段と、
前記複数の医用画像の中から、読影レポートにキー画像を添付するキー画像添付手段と、
添付された前記キー画像を時系列で表示するキー画像表示手段と、
読影の所見を入力するための所見入力手段と、を備え、
前記キー画像表示手段は、
前記読影レポートを原発巣、転移部位に分類して時系列で一覧表示するとともに、前記キー画像に関連する前記所見の入力を受け可能に表示する
医療レポート作成支援装置。
【発明の詳細な説明】
【技術分野】
【０００１】
本発明の実施形態は、医療レポート作成支援装置に関する。
【背景技術】
【０００２】
近年、多くの病院では、医師や読影医などは、画像診断装置を用いて検査画像について読影を行っている。また、画像診断装置により読影された読影結果は、一般的には、医療レポート作成支援装置を用いてまとめられるようになっており、多くの医療レポート作成支援装置が検討されている。
【０００３】
ここで、例えば、医療レポート作成支援装置の一例であって、レポートを入力する画面に複数の所見を入力するための複数の入力領域が設けられ、その各入力領域は、それぞれ観察記録や診断病名を入力することができる医療レポート閲覧装置が開示されている（特許文献１参照）。
【０００４】
特許文献１に記載された医療レポート閲覧装置に関する発明では、複数の所見の入力と所見の検索または並び替えを実行するためのキー情報とが関連付けられており、所見の内容から診断病名が読み出され、所見の検索や並び替えが行われるようになっている。
【先行技術文献】
【特許文献】
【０００５】
【特許文献１】特開２００９−２３８０３９号公報
【発明の概要】
【発明が解決しようとする課題】
【０００６】
ここで、一般的な医療レポート閲覧装置に関する発明では、例えば、診断病名に所見や重要度が付され、所見の検索や並び替えが行われるようになっている。これにより、医療レポートの閲覧性が高められるようになっている。
【０００７】
ところが、医師や読影医などが医療レポートを参照して診断する場合において、診断病名よりも病変の方が重要となることがある。例えば、診断病名が肺癌の場合は、その病変が原発巣なのか脳転移なのか、または骨転移なのかによって、以降の検査や治療の方針が大きく変わってくる。
【０００８】
すなわち、従来の技術では、診断病名に対して所見や重要度が関連付けられているものの、病変についての医療情報が何ら関連付けられておらず、医療レポートの閲覧性が十分ではなかった。
【０００９】
そこで、病変や病変に関連する医療情報の入力の手間を軽減し、医療レポートの閲覧性を向上させる医療レポート作成支援装置が望まれていた。
【課題を解決するための手段】
【００１０】
本実施形態に係る医療レポート作成支援装置は、表示部と、患者に対する診断病名に関する診断病名情報の入力を受け付ける診断病名情報取得部と、前記診断病名情報に関連付けられた病変情報の登録を受け付ける病変情報受付部と、前記病変情報に関するレポート情報の入力を受け付けるレポート情報受付部と、前記診断病名と、当該診断病名に関する診断病名情報に関連付けられた病変情報を示す病変と、当該病変情報に関するレポート情報とを、互いに関連付けて前記表示部に表示させる表示制御部と、を備える。
【図面の簡単な説明】
【００１１】
【図１】本実施形態に係る医療レポート作成支援装置を備えた医療レポート作成システムの概略の構成の一例を示した概略構成図。
【図２】本実施形態に係る医療レポート作成支援装置の機能を示す機能ブロック図。
【図３】本実施形態に係る医療レポート作成支援装置の構成を示すハードウエアブロック図。
【図４】本実施形態に係る医療レポート作成支援装置が、医療レポートに所見を入力したり、画像データをキー画像として医療レポートに貼付して、その医療レポートやレポート情報を表示する医療レポート表示処理を示したフローチャート。
【図５】本実施形態に係る診断病名情報取得部が、ある患者における検査の識別を示す検査ＩＤに対し、診断病名を示す診断病名ＩＤを割り当てた診断病名割り当てテーブル。
【図６】本実施形態に係る病変情報受付部が、ある患者について、診断病名ＩＤに対し、病変を示す病変ＩＤ（病変情報）を割り当てた病変割り当てテーブル。
【図７】オペレータが操作部を用いてレポート情報を入力する際、医療レポートにおいて、時系列で表示された病変情報を示す病変の欄の周辺に、レポート情報の入力を受け付ける入力領域が設けられことを示す説明図。
【図８】本実施形態に係るレポート情報受付部が、ある患者に関する病変ＩＤについて、レポート情報を割り当てたレポート情報割り当てテーブル。
【図９】レポート情報の入力が完了した医療レポートを、時系列で一覧表示した場合の説明図。
【図１０】本実施形態において、図９に示した２０１２年５月１０日の骨転移のセルが選択された場合のレポート情報の表示例を示した説明図。
【図１１】本実施形態において、病変が脳転移の場合について、２０１２年４月１日のレポート情報と、２０１２年６月２０日のレポート情報とが表示された場合の表示例を示した説明図。
【図１２】本実施形態において、病変情報に関するレポート情報を検査日ごとに表示部に表示させた場合の表示例を示した説明図。
【図１３】本実施形態において、肺癌の診断病名が選択されており、肺癌に含まれる病変のレポート情報を一覧として表示部に表示させた場合の表示例を示した説明図。
【図１４】本実施形態において、肺癌の診断病名が選択されており、肺癌に含まれる病変のレポート情報を検査日ごとに表示部に表示させた場合の表示例を示した説明図。
【発明を実施するための形態】
【００１２】
以下、本実施形態に係る医療レポート作成支援装置１００について、添付図面を参照して説明する。
【００１３】
図１は、本実施形態に係る医療レポート作成支援装置１００を備えた医療レポート作成システム７００の概略の構成の一例を示した概略構成図である。
【００１４】
図１に示すように、医療レポート作成システム７００は、医療レポート作成支援装置１００、モダリティ２００、画像サーバ３００、読影装置４００、レポート管理サーバ５００およびネットワーク６００などを備えて構成されている。
【００１５】
医療レポート作成支援装置１００は、例えば、医師が患者を診察したり、読影医が読影した際に作成する読影レポートを参照して、医療レポートの作成支援を行う情報処理装置である。
【００１６】
モダリティ２００は、被検体を撮影するための装置（撮影装置）を分類するときに使用される医用システム名である。例えば、モダリティ２００として、Ｘ線ＣＴ（Computed Tomography）装置、ＭＲＩ（Magnetic Resonance Imaging）装置（磁気共鳴診断装置）、超音波診断装置、核医学診断装置などがある。本実施の形態では、いずれの装置であってもモダリティ２００として適用することができる。
【００１７】
画像サーバ３００は、医用画像管理システムを構成する画像管理サーバであり、モダリティ２００によって被検体を撮影することにより得られた画像データを、保管、閲覧、管理するサーバである。
【００１８】
読影装置４００は、モダリティ２００によって被検体を撮影することにより得られた画像データに対し、読影医師が読影を行う装置である。具体的には、読影装置４００は、画像データを表示し、読影医による読影結果を所見としてコメント欄に記入するための装置である。読影装置４００は、読影医によって読影が行われると、読影対象の画像と所見とを含む読影レポートを作成して、その読影レポートに関する読影レポート情報をレポート管理サーバ５００に格納する。
【００１９】
レポート管理サーバ５００は、読影装置４００で作成された読影レポート情報を格納するサーバである。レポート管理サーバ５００は、医療レポート作成支援装置１００の要求に応じて、ネットワーク６００を介して、読影レポート情報を医療レポート作成支援装置１００に送信するようになっている。
【００２０】
ネットワーク６００は、医療レポート作成システム７００に接続されている各装置を相互に接続し、画像データや読影レポート情報を共有するようになっている。
【００２１】
本実施形態では、医療レポート作成システム７００は、画像サーバ３００、読影装置４００またはレポート管理サーバ５００が、検査機関、各診療科などにおける各医療機関の装置によって構成され、画像データや読影レポート情報、または医療レポートなどを共有することができる。
【００２２】
次に、本実施形態に係る医療レポート作成支援装置１００の機能について説明する。
【００２３】
図２は、本実施形態に係る医療レポート作成支援装置１００の機能を示す機能ブロック図である。
【００２４】
図２に示すように、この医療レポート作成支援装置１００は、診断病名情報取得部１１０、病変情報受付部１２０、レポート情報受付部１３０、表示制御部１４０、表示部１５０、診断病名情報データベース１５１、病変情報データベース１５２およびレポート情報データベース１５３などを備えて構成されている。
【００２５】
診断病名情報取得部１１０は、患者に対する診断病名に関する診断病名情報の入力を受け付けるようになっている。例えば、患者の名前（これを患者名ともいう。）に割り当てられた診察券の番号（ＩＤ（Identification）番号）に診断病名に関する診断病名情報の入力を受け付けるようになっている。
【００２６】
病変情報受付部１２０は、診断病名情報に関連付けられた病変情報の登録を受け付けるようになっている。病変情報とは、病気が原因となって生じる生体の変化のことを示す病変に関する情報である。また、病変は、病気が原因となって（または病気の過程で）現れる生体の局所変化のことをいい、種々の病因に対して生体が反応する形式から病気の実態を捉え、各組織や器官などに共通する法則を見出したときに使用する病理学総論上の言葉である。
【００２７】
例えば、診断病名が肺癌とした場合、その肺癌が最初に発生した癌のことを原発巣といい、肺癌が脳に転移した場合は脳転移といい、骨に転移した場合には骨転移という。ここでは、原発巣、脳転移および骨転移などを病変（または病変名）といい、これらに関する情報のことを病変情報という。
【００２８】
また、本実施形態では、例えば、肺癌についての病変として、原発巣と脳転移と骨転移と関連付けて、肺癌という診断病名に病変を登録することができるようになっている。そのため、診断病名情報に関連付けられた病変情報を格納することにより、患者ごとに対し病変の入力を必要とするものではなく、診断病名情報と病変情報とが関係づけられた病変情報テーブルから診断病名情報に関連付けられた病変情報を選択することができる。なお、必要に応じて、所望の病変情報の追加登録を受け付けることもできる。
【００２９】
レポート情報受付部１３０は、病変情報に関するレポート情報の入力を受け付けるようになっている。本実施形態では、レポート情報には、所見、Ｉｍｐｒｅｓｓｉｏｎ（以下、インプレッションと表記することもある。）、キー画像などが該当する。なお、インプレッションとは、備考または参考を意味する項目であり、所見として記入するほどではないが、医師や読影医などが気になったことを参考までにコメントするものを意味している。
【００３０】
表示制御部１４０（キー画像表示手段）は、診断病名と、その診断病名に関する診断病名情報に関連付けられた病変情報が示す病変と、その病変情報に関するレポート情報とを、表示部１５０に表示させるようになっている。
【００３１】
診断病名情報データベース１５１は、診断病名情報取得部１１０で取得した診断病名情報を、患者名（または診察券のＩＤ番号）ごとに格納するデータベースである。
【００３２】
病変情報データベース１５２は、病変情報受付部１２０で受け付けた病変情報を、患者名（または診察券のＩＤ番号）ごとの診断病名情報に関連付けて格納するデータベースである。また、病変情報データベース１５２は、診断病名情報と病変情報とが関係づけられた病変情報テーブルを格納している。
【００３３】
レポート情報データベース１５３（記憶手段）は、レポート情報受付部１３０で受け付けた病変情報に関するレポート情報を格納するデータベースである。例えば、患者名（または診察券のＩＤ番号）ごとに関連付けられた病変情報に、所見、インプレッションまたはキー画像を関連付けて格納する。
【００３４】
図３は、本実施形態に係る医用画像表示装置１００の構成を示すハードウエアブロック図である。
【００３５】
図３に示すように、医療レポート作成支援装置１００は、ＣＰＵ（Central Processing Unit）１６０、ＲＯＭ（Read Only Memory）１６５、ＲＡＭ（Random Access Memory）１７０、ネットワークインターフェース部１７５、操作部１８０、表示部１５０、記憶部１８５、内部バス１９０などを備えて構成されている。
【００３６】
ＣＰＵ１６０は、ＲＯＭ１６５に格納されている各種プログラムをＲＡＭ１７０にロードして、そのプログラムを展開することにより、各種プログラムの機能を実現することできる。ＲＡＭ１７０は、ワークエリア（作業用メモリ）として利用されるようになっている。ＲＯＭ１６５は、各種プログラムを格納するようになっている。ＲＯＭ１６５に格納されている各種プログラムには、図２で示した診断病名情報取得部１１０、病変情報受付部１２０、レポート情報受付部１３０および表示制御部１４０などの機能を実現するためのプログラムが含まれている。
【００３７】
ネットワークインターフェース部１７５は、ネットワーク６００（図１）を介して、画像サーバ３００（図１）から画像データを取得したり、レポート管理サーバ５００（図１）から医療レポート情報を取得するためのインターフェース部である。
【００３８】
操作部１８０（キー画像添付手段）は、医療レポートの表示方法の指定の入力、診断病名情報の入力および病変情報の入力、編集または登録などを行う入力装置により構成されている。例えば、操作部１８０は、キーボードやマウスなどにより構成されている。
【００３９】
表示部１５０は、図２で説明した表示部であり、画像サーバ３００から取得した画像データやレポート管理サーバ５００から取得した読影レポートを表示する機能を有している。なお、表示部１５０は、液晶ディスプレイやモニタなどによって構成されている。
【００４０】
記憶部１８５は、記憶メモリを構成する記憶部であり、ＲＡＭやハードディスクなどによって構成されている。本実施の形態では、記憶部１８５は、例えば、診断病名情報データベース１５１、病変情報データベース１５２およびレポート情報データベース１５３を構成するようになっている。
【００４１】
これにより、本実施形態では、医療レポート作成支援装置１００は、ＲＯＭ１６５に格納されているプログラムを実行することにより、図２の医療レポート作成支援装置１００に示した機能を実現することができるようになっている。
【００４２】
（医療レポート表示処理）
次に、本実施形態に係る医療レポート作成支援装置１００（図１）が、ネットワーク６００（図１）を経由して、画像データや読影レポート情報などを取得して、医療レポートやレポート情報を表示する医療レポート表示処理について、説明する。
【００４３】
図４は、本実施形態に係る医療レポート作成支援装置１００（図２）が、医療レポートに所見を入力したり、画像データをキー画像として医療レポートに貼付して、その医療レポートやレポート情報を表示する医療レポート表示処理を示したフローチャートである。図４において、Ｓに数字を付した符号は、フローチャートの各ステップを示している。
【００４４】
まず、医療レポート作成支援装置１００は、患者を示す患者情報を取得する（ステップＳ００１）。例えば、医者や読影医などのオペレータが、操作部１８０を用いて患者名（または診察券のＩＤ）を入力することにより、医療レポート作成支援装置１００は、患者を特定する患者情報を取得する。
【００４５】
また、医療レポート作成支援装置１００は、取得した患者情報に対応づける検査情報を取得する（ステップＳ００３）。例えば、オペレータが、操作部１８０を用いて患者名（または診察券のＩＤ）が示す患者情報にその患者が受ける検査の検査情報を入力することにより、医療レポート作成支援装置１００は、その患者の検査情報（検査内容や検査日など）を取得する。
【００４６】
医療レポート作成支援装置１００の診断病名情報取得部１１０は、その患者に対する診断病名に関する診断病名情報を取得する（ステップＳ００５）。例えば、オペレータが、操作部１８０を用いて患者に対する診断病名を入力することにより、診断病名情報取得部１１０は、患者に対する診断病名情報を取得する。診断病名情報取得部１１０は、取得した診断病名情報を、患者名（または診察券のＩＤ）と、検査情報とに関連付けて診断病名情報データベース１５１に格納する。
【００４７】
図５は、本実施形態に係る診断病名情報取得部１１０が、ある患者における検査の識別を示す検査ＩＤに対し、診断病名を示す診断病名ＩＤを割り当てた診断病名割り当てテーブルを示している。
【００４８】
図５に示すように、診断病名割り当てテーブルには、診断病名ＩＤと、検査ＩＤと、診断病名の欄が設けられ、検査ＩＤに対して診断病名ＩＤが割り当てられている。例えば、診断病名ＩＤの欄のＰＡ０１は、肺癌を示しており、検査ＩＤのＳＴ０１に割り当てられている。同様に、診断病名ＩＤの欄のＰＡ０２は、肺炎を示しており、検査ＩＤのＳＴ０１に割り当てられている。なお、検査ＩＤの欄のＳＴ０２には、任意の診断病名ＩＤが割り当てられている。
【００４９】
また、図５に示す診断病名割り当てテーブルは、検査ＩＤに対する診断病名ＩＤの一般的な割り当てテーブルとして、診断病名情報データベース１５１に格納され、患者ごとに診断病名ＩＤを割り当てるようにしてもよい。
【００５０】
医療レポート作成支援装置１００の病変情報受付部１２０は、診断病名に関連付けられた病変情報を取得する（ステップＳ００７）。例えば、オペレータが、操作部１８０を用いて病変を入力することにより、病変情報受付部１２０は、病変情報を取得する。病変情報受付部１２０は、取得した病変情報を、患者名と診断病名とに関連付けて病変情報データベース１５２に格納する。
【００５１】
図６は、本実施形態に係る病変情報受付部１２０が、ある患者について、診断病名ＩＤに対し、病変を示す病変ＩＤ（病変情報）を割り当てた病変割り当てテーブルを示している。
【００５２】
図６に示すように、病変割り当てテーブルには、病変ＩＤと、診断病名ＩＤと、病変の欄が設けられ、診断病名ＩＤに対して病変ＩＤが割り当てられている。例えば、病変ＩＤの欄のＩＳ０１１は、原発巣を示しており、診断病名ＩＤのＰＡ０１（図５の肺癌参照）に割り当てられている。また、病変ＩＤの欄のＩＳ０１２は、骨転移を示しており、診断病名ＩＤのＰＡ０１（図５の肺癌参照）に割り当てられている。同様に、病変ＩＤの欄のＩＳ０１３は、脳転移を示しており、診断病名ＩＤのＰＡ０１（図５の肺癌参照）に割り当てられている。なお、診断病名ＩＤの欄のＰＡ０２には、病変が肺炎（図５参照）を示す病変ＩＤのＩＳ０２１が割り当てられている。
【００５３】
また、図６に示す病変割り当てテーブルは、診断病名ＩＤに対する病変ＩＤの一般的な割り当てテーブルとして、病変情報データベース１５２に格納され、患者ごとに病変ＩＤを割り当てる病変情報テーブルとしてもよい。
【００５４】
医療レポート作成支援装置１００のレポート情報受付部１３０（所見入力手段に該当）は、取得した病変情報に関するレポート情報の入力を受ける（ステップＳ００９）。例えば、オペレータが、操作部１８０を用いてレポート情報を入力する際、医療レポートにおいて時系列で表示された病変情報を示す病変の欄の周辺に、レポート情報の入力を受け付ける領域（入力領域）が設けられる。
【００５５】
図７は、オペレータが操作部１８０を用いてレポート情報を入力する際、医療レポートにおいて時系列で表示された病変情報を示す病変の欄の周辺に、レポート情報の入力を受け付ける入力領域１５５が設けられことを示す説明図である。
【００５６】
図７に示すように、本実施形態における医療レポートでは、縦軸に、診断病名と、その診断病名に関連付けられた病変の欄が設けられている。また、横軸には、検査日が時系列で表示されており、診断病名や病変に該当する欄において診断病名や病変ごとにキー画像や所見を示すレポート情報が一覧表示（マトリックス表示）されている。
【００５７】
この場合、レポート情報は、診断病名情報の階層構造によって関連付けられた病変情報に関する情報となっている。例えば、診断病名の肺癌については、病変として、原発巣と、骨転移と、脳転移とが、階層構造によって関連付けられている。なお、図７に示すように、診断病名や病変ごとに関連付けられた各レポート情報が時系列で表示されたマトリックス表示を、本実施形態では医療レポートということにする。
【００５８】
ここで、レポート情報を入力する例として、例えば、２０１２年６月２０日の検査日における脳転移の所見を記入する場合は、その所見を記入したい日付に対応する病変のセルを選択する。これにより、そのセルに対する入力領域１５５が、２０１２年６月２０日の脳転移の病変のセル周辺に生成される。
【００５９】
図７に示した入力領域１５５には、所見を入力する所見の欄と、備考や参考を入力するインプレッションの欄が設けられており、オペレータが、所見ＡやインプレッションＢを入力することにより、医療レポート作成支援装置１００のレポート情報受付部１３０は、その患者について所見ＡとインプレッションＢを関連付けて格納する。
【００６０】
また、レポート情報としてキー画像を入力する場合は、医療レポート作成支援装置１００は、画像サーバ３００から画像データを取得して、該当する病変のセルにドラッグアンドドロップ（またはドラッグアンドリリース）することにより病変の欄にキー画像を登録することができる。
【００６１】
図８は、本実施形態に係るレポート情報受付部１３０が、ある患者に関する病変ＩＤについて、レポート情報を示すレポートＩＤを割り当てたレポート情報割り当てテーブルを示している。
【００６２】
図８に示すように、レポート情報割り当てテーブルには、レポートＩＤと、病変ＩＤと、所見と、インプレッションと、キー画像の欄が設けられ、病変ＩＤにレポートＩＤが割り当てられている。例えば、レポートＩＤの欄の１０００は、２０１２年６月２０日における脳転移の病変ＩＤのＩＳ０１３が割り当てられており（図７参照）、所見Ａと、インプレッションＢと、対応するキー画像が関連付けられている。同様に、例えば、レポートＩＤの欄の１００１には、２０１２年５月１０日における骨転移の病変ＩＤのＩＳ０１２が割り当てられており（図７参照）、所見Ｃと、インプレッションＤと、対応するキー画像が関連付けられている。なお、このレポート情報割り当てテーブルは、患者ごとに作成され、レポート情報データベース１５３に格納される。
【００６３】
所見の入力やキー画像などのレポート情報の入力が完了した医療レポートは、医療レポート作成支援装置１００のネットワークインターフェース部１７５により、ネットワーク６００を介してレポート管理サーバ５００に格納される。
【００６４】
表示制御部１４０は、診断病名と、その診断病名に関連付けられた病変と、その病変に関するレポート情報とを、互いに関連付けて表示部１５０に表示し（ステップＳ０１１）、医療レポート表示処理を終了する。
【００６５】
図９は、レポート情報の入力が完了した医療レポートを、時系列で一覧表示した場合の説明図である。
【００６６】
図９に示すように、医療レポートは、図７の医療レポートと同様に、診断病名に病変が割り当てられており、診断病名の階層構造によって時系列で一覧表示（マトリクス表示）されるようになっている。
【００６７】
また、本実施形態では、キー画像を複数登録することもできる。例えば、２０１２年４月１日の原発巣において、複数のキー画像が登録されていた場合には、スクロールボタン１５６などを設けることにより、マウスやキーボードによってキー画像をスクロールすることができる。
【００６８】
また、図９では、ステップＳ００７において説明した病変情報の取得について、例えば、診断病名において病変が関連付けられている病名には、プルダウンボタン１５７により病変を追加することもできる。一方、病変が関連付けられていない肺炎（診断病名）には、オペレータが任意に病変を追加することができる新規追加項目ボタン１５８を設けることにより、例えば、肺炎に病変を関連付けて、病変情報を格納することができる。
【００６９】
この場合、医療レポート作成支援装置１００のレポート情報受付部１３０は、診断病名と病変とが関係づけられたテーブル（例えば、病変情報データベース１５２に格納されている病変情報テーブル）から、診断病名に関連付けられた病変を選択して登録を受け付けたり、診断病名に所望の病変を追加することにより、登録を受け付ける。
【００７０】
以上説明したように、本実施形態に係る医療レポート作成支援装置１００は、病変や病変に関連するレポート情報の入力の手間を軽減し、医療レポートの閲覧性を向上させることができる。
【００７１】
図１０は、本実施形態において、図９に示した２０１２年５月１０日の骨転移のセルが選択された場合のレポート情報の表示例を示した説明図である。
【００７２】
図１０に示すように、本実施形態では、医療レポートの右側にレポート情報が表示され、そのレポート情報には、所見ＣやインプレッションＤが表示されるとともに、キー画像が表示されている。
【００７３】
また、本実施形態では、レポート情報の表示は、１つの病変に限定されるものではなく、複数の病変を統合して表示することができる。
【００７４】
図１１は、本実施形態において、病変が脳転移の場合について、２０１２年４月１日のレポート情報と、２０１２年６月２０日のレポート情報とが表示された場合の表示例を示した説明図である。
【００７５】
図１１に示すように、本実施形態では脳転移について選択されており、選択された範囲に含まれる複数の検査日におけるレポート情報を表示することできる。例えば、レポート情報の所見の欄には、２０１２年４月１日の所見と６月２０日の所見が表示されるとともに、インプレッションの欄には、２０１２年４月１日のインプレッションと６月２０日のインプレッションが表示されている。
【００７６】
ここで、例えば、２０１２年６月２０日の所見とインプレッションとがまだ入力されていなかった場合には、レポート情報の初期値として、４月１日の所見とインプレッションとがコピーされて入力されるようにしてもよく、また文字列が入力された場合には、変更箇所に差分を強調表示するようにしてもよい。
【００７７】
また、キー画像についても同様に、２０１２年４月１日のキー画像と６月２０日のキー画像がレポート情報に表示されている。
【００７８】
キー画像に関しては、例えば、レポート情報受付部１３０において、キー画像（画像データ）に注目すべき領域の設定を受け付け、表示制御部１４０は、受け付けた注目すべき領域（これをアノテーション領域ともいう。）を、その設定を受け付けたキー画像（画像データ）とは異なる他のキー画像（画像データ）にも注目すべき領域を設定するようにしてもよい。
【００７９】
例えば、２０１２年６月２０日のキー画像にはアノテーション領域ＡＲが示されているが、このアノテーション領域ＡＲは、２０１２年４月１日のキー画像に設定されたアノテーション領域ＡＲを示しており、４月１日のキー画像について設定されたアノテーション領域ＡＲと同一の注目すべき領域を示している。
【００８０】
図１２は、本実施形態において、病変情報に関するレポート情報を検査日ごとに表示部１５０に表示させた場合の表示例を示した説明図である。
【００８１】
図１２に示すように、本実施形態では、医療レポートの右側に、２０１２年４月１日の検査日において、原発巣と脳転移の病変のレポート情報を表示することができる。例えば、レポート情報の所見の欄には、原発巣の所見と脳転移の所見が表示されるとともに、インプレッションの欄には、原発巣のインプレッションと脳転移のインプレッションが表示されている。
【００８２】
また、レポート情報受付部１３０は、例えば、病変に優先順位を割り当て、表示制御部１４０は、その優先順位に従って、優先順位の高い順に上から表示するようにしてもよい。例えば、図１２では、原発巣の優先順位が最も高く、次に骨転移が高く、脳転移が最も低くなっている。
【００８３】
ここで、脳転移の優先順位を最も高くするとともに、次に原発巣が高くなるような優先順位にした場合、上から脳転移、原発巣、骨転移の順に入れ替えて表示部１５０に表示させることができる。
【００８４】
また、本実施形態では、診断病名を選択し、その診断病名に含まれる複数の病変を所望する表示方法で表示させることもできる。
【００８５】
図１３は、本実施形態において、肺癌の診断病名が選択されており、肺癌に含まれる病変のレポート情報を一覧として表示部１５０に表示させた場合の表示例を示した説明図である。
【００８６】
図１３に示すように、本実施形態では、医療レポートの右側に、２０１２年４月１日の検査日における原発巣と、２０１２年５月１０日の検査日における骨転移と、２０１２年４月１日の検査日における脳転移とが、レポート情報の所見とインプレッションの欄に、それぞれ表示されている。
【００８７】
なお、図１３のレポート表示では、全ての医療レポート情報を一覧として表示するようになっているが、これに限定されるものではない。例えば、診断病名が肺癌のうち、検査日ごとにレポート情報を表示するようにしてもよく、また、検査日が最新の病変に関するレポート情報を抽出するようにしてもよい。
【００８８】
図１４は、本実施形態において、肺癌の診断病名が選択されており、肺癌に含まれる病変のレポート情報を検査日ごとに表示部１５０に表示させた場合の表示例を示した説明図である。
【００８９】
図１４に示すように、本実施形態では、医療レポートの下側に、左から順に、２０１２年４月１日の検査日における原発巣と、２０１２年５月１０日の検査日における骨転移と、２０１２年６月２０日の検査日における脳転移の所見とインプレッションが、各レポート情報のそれぞれ表示されている。
【００９０】
オペレータは、全ての医療レポート情報をそれぞれ検査単位で確認することができるので、病変ごとの所見やキー画像の経過を容易に把握することができ、診断の効率化や検査結果の見落としを防止することができる。
【００９１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００９２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００９３】
１００  医療レポート作成支援装置 
１１０  診断病名情報取得部
１２０  病変情報受付部
１３０  レポート情報受付部
１４０  表示制御部
１５０  表示部
１５１  診断病名情報データベース
１５２  病変情報データベース
１５３  レポート情報データベース
１５５  入力領域
１５６  スクロールボタン
１５７  プルダウンボタン
１５８  新規追加項目ボタン
１６０  ＣＰＵ
１６５  ＲＯＭ
１７０  ＲＡＭ
１７５  ネットワークインターフェース部
１８０  操作部
１８５  記憶部
１９０  内部バス
２００  モダリティ
３００  画像サーバ
４００  読影装置
５００  レポート管理サーバ
６００  ネットワーク
７００  医療レポート作成システム 
【図１】
2015179319.tif 000003
【図２】
2015179319.tif 000004
【図３】
2015179319.tif 000005
【図４】
2015179319.tif 000006
【図５】
2015179319.tif 000007
【図６】
2015179319.tif 000008
【図７】
2015179319.tif 000009
【図８】
2015179319.tif 000010
【図９】
2015179319.tif 000011
【図１０】
2015179319.tif 000012
【図１１】
2015179319.tif 000013
【図１２】
2015179319.tif 000014
【図１３】
2015179319.tif 000015
【図１４】
2015179319.tif 000016